(57)【要約】エレベータ装置においては、駆動装置の駆動シーブに巻き掛けられた主索により、かごが昇降路内に吊り下げられている。かごは、上梁及び天井部を有している。主索のかご接続端部は、ロープ端接続装置を介して上梁に接続されている。上梁は、その下端部が天井部の上面よりも下方に位置するように配置されている。
2004041702.tif 000002
【特許請求の範囲】
【請求項１】
駆動シーブを有する駆動装置、
上梁を含むかご枠と、天井部を含み上記かご枠に支持されているかご室とを有し、上記駆動装置の駆動力により昇降路内を昇降されるかご、
かご接続端部を有し、かつ上記駆動シーブに巻き掛けられ、上記昇降路内に上記かごを吊り下げる主索、及び
上記かご接続端部を上記上梁に接続するロープ端接続装置
を備え、
上記上梁は、その下端部が上記天井部の上面よりも下方に位置するように配置されているエレベータ装置。
【請求項２】
上記上梁の全体が上記天井部の上下方向寸法の範囲内に収納されている請求項１記載のエレベータ装置。
【請求項３】
上記上梁は、上記天井部を上記かごの前後方向に２分割するように、上記かごの幅方向に沿って水平に配置されている請求項１記載のエレベータ装置。
【請求項４】
上記ロープ端接続装置は、
上記かご接続端部に固定される固定部材、
上記固定部材の上方に位置するように上記上梁に固定されている支持部材、及び
上記固定部材と上記支持部材との間に介在されている緩衝部材
を有している請求項１記載のエレベータ装置。
【請求項５】
上記固定部材、上記支持部材及び上記緩衝部材は、上記天井部の上下方向寸法の範囲内に収納されている請求項４記載のエレベータ装置。
【請求項６】
上記固定部材は、楔式ロープ止め部を有している請求項４記載のエレベータ装置。
【請求項７】
上記緩衝部材はばねであり、上記固定部材と上記ばねとの間には、上記固定部材に対する位置を調整することにより上記主索の張力を調整する調整部材が設けられている請求項４記載のエレベータ装置。
【請求項８】
駆動シーブを有する駆動装置、
天井部を有し、上記駆動装置の駆動力により昇降路内を昇降されるかご、
かご接続端部を有し、かつ上記駆動シーブに巻き掛けられ、上記昇降路内に上記かごを吊り下げる主索、及び
上記かご接続端部を上記かごの上部に接続するロープ端接続装置
を備え、
上記ロープ端接続装置は、その下端部が上記天井部の上面よりも下方に位置するように配置されているエレベータ装置。
【発明の詳細な説明】
【技術分野】  この発明は、かごを昇降路内に吊り下げる主索が、かごの上部に接続されているエレベータ装置に関するものである。
【背景技術】  例えば、ＷＯ０２／１６２４７Ａ１に示された従来のエレベータ装置（機械室レスエレベータ）においては、かご及び釣合おもりを昇降させるための駆動装置が昇降路内の上部に配置されている。駆動装置の駆動シーブには、主索が巻き掛けられており、主索の一端部にはかごが接続され、主索の他端部には釣合おもりが接続されている。
また、主索の一端部は、ロープシャックル及び緩衝部材を介してかごの上梁に接続されている。上梁は、かご室の上方に配置されている。
しかし、上記のような従来のエレベータ装置では、上梁、ロープシャックル及び緩衝部材等がかご室の上方に配置されているため、かごの上下方向寸法が大きくなってしまう。このため、昇降路のオーバーヘッド寸法（頂部隙間寸法）を大きくする必要があり、昇降路全体の上下方向寸法が大きくなってしまう。
【発明の開示】
この発明は、上記のような課題を解決するためになされたものであり、昇降路の上下方向寸法を小さくすることができるエレベータ装置を得ることを目的とする。
この発明によるエレベータ装置は、駆動シーブを有する駆動装置、上梁を含むかご枠と、天井部を含みかご枠に支持されているかご室とを有し、駆動装置の駆動力により昇降路内を昇降されるかご、かご接続端部を有し、かつ駆動シーブに巻き掛けられ、昇降路内にかごを吊り下げる主索、及びかご接続端部を上梁に接続するロープ端接続装置を備え、上梁は、その下端部が天井部の上面よりも下方に位置するように配置されている。
また、この発明によるエレベータ装置は、駆動シーブを有する駆動装置、天井部を有し、駆動装置の駆動力により昇降路内を昇降されるかご、かご接続端部を有し、かつ駆動シーブに巻き掛けられ、昇降路内に上記かごを吊り下げる主索、及びかご接続端部をかごの上部に接続するロープ端接続装置を備え、ロープ端接続装置は、その下端部が天井部の上面よりも下方に位置するように配置されている。
【図面の簡単な説明】  図１はこの発明の実施の形態１によるエレベータ装置を示す概略の正面図、
図２は図１のＩＩ−ＩＩ線に沿う断面図、
図３はこの発明の実施の形態２によるエレベータ装置のロープ端接続装置の断面図、
図４はこの発明の実施の形態３によるエレベータ装置のロープ端接続装置の断面図である。
【発明を実施するための最良の形態】  以下、この発明の好適な実施の形態について図面を参照して説明する。
実施の形態１．
図１はこの発明の実施の形態１によるエレベータ装置を示す概略の正面図である。
図において、昇降路１内には、一対のかごガイドレール２及び一対の釣合おもりガイドレール３が設置されている。かご４は、かごガイドレール２に案内されて昇降路１内を昇降される。釣合おもり５は、釣合おもりガイドレール３に案内されて昇降路１内を昇降される。
かご４には、かごガイドレール２に係合する複数のかごガイドシュー６が設けられている。釣合おもり５には、釣合おもりガイドレール３に係合する複数の釣合おもりガイドシュー７が設けられている。
ガイドレール２，３の上端部には、支持台８が取り付けられている。支持台８には、駆動装置（巻上機）９が搭載されている。駆動装置９は、モータ１０と、このモータ１０により回転される駆動シーブ１１とを有している。また、駆動装置９は、その径よりも軸方向の長さが小さい薄形の外形を有している。さらに、駆動装置９は、駆動シーブ１１の軸線が鉛直方向に沿って延びるように配置されている。さらにまた、駆動装置９は、かご４のコーナー部の上方に配置されている。
駆動シーブ１１には、複数本の主索１２が巻き掛けられている（図では１本のみ示す）。各主索１２は、かご４に接続されたかご接続端部１２ａと、釣合おもり５に接続された釣合おもり接続端部１２ｂとを有している。即ち、かご４及び釣合おもり５は、１：１ローピング方式で昇降路１内に吊り下げられている。
支持台８には、主索１２を駆動装置９からかご４に導く第１の方向転換そらせ車１３と、主索１２を駆動装置９から釣合おもり５に導く第２の方向転換そらせ車１４とが支持されている。第１及び第２の方向転換そらせ車１３，１４は、それらの回転軸が水平に延びるように配置されている。また、第１の方向転換そらせ車１３はかご４の真上に、第２の方向転換そらせ車１４は釣合おもり５の真上にそれぞれ配置されている。
かご４は、かご枠２１と、かご枠２１に支持されているかご室２２とを有している。かご枠２１は、互いに平行に垂直に延びる一対の縦柱２１ａと、縦柱２１ａの下端部間に固定されている下梁２３と、縦柱２１ａの上端部間に固定されている上梁２４とを有している。かご室２２は、かご床（図示せず）、かご室壁２５、かごの戸２６及び天井部２７を有している。
天井部２７は、所定の上下方向寸法（厚さ寸法）Ｈを有しており、天井部２７内には、照明器具（図示せず）等の機器が収納されている。上梁２４は、その下端部が天井部２７の上面２７ａよりも下方に位置するように配置されている。この実施の形態では、上梁２４の全体が天井部２７の上下方向寸法Ｈの範囲内に収納されている。
各主索１２のかご接続端部１２ａは、ロープ端接続装置３１により上梁２４に接続されている。各主索１２の釣合おもり接続端部１２ｂは、ロープシャックル１５及び緩衝部材１６を介して釣合おもり５の上梁５ａに接続されている。
図２は図１のＩＩ−ＩＩ線に沿う断面図であり、天井部２７内に収容された機器の図示は省略する。ロープ端接続装置３１は、かご接続端部１２ａに固定される固定部材としてのロープシャックル３２、ロープシャックル３２の上方に位置するように上梁２４に固定されている支持部材３３、及びロープシャックル３２と支持部材３３との間に介在されている緩衝部材３４とを有している。
ロープシャックル３２、支持部材３３及び緩衝部材３４は、上梁２４の内側（上梁２４により形成された溝の内側）に配置されており、天井部２７の上下方向寸法Ｈの範囲内に収納されている。ロープシャックル３２は、楔式ロープ止め部３２ａを有している。緩衝部材３４としては、例えばゴム板が用いられる。また、上梁２４は、天井部２７をかご４の前後方向に略均等に２分割するように、かご４の幅方向に沿って水平に配置されている。
このようなエレベータ装置では、上梁２４を、その下端部が天井部２７の上面２７ａよりも下方に位置するように配置したので、かご４の上下方向寸法を小さくすることができ、これにより昇降路１の上下方向寸法を小さくすることができる。また、昇降路１頂部のオーバーヘッド寸法も小さくすることができ、建物の上部に昇降路が突出するのを防止することができ、建築費の削減を図ることができるとともに、建物の外観を良くすることができる。
また、上梁２４の全体が天井部２７の上下方向寸法Ｈの範囲内に収納されているので、かご４の上下方向寸法をさらに小さくすることができ、これにより昇降路１の上下方向寸法をさらに小さくすることができる。
さらに、上梁２４は、天井部２７をかご４の前後方向に２分割するように、かご４の幅方向に沿って水平に配置されているので、簡単な構成により、上梁２４を天井部２７の上下方向寸法Ｈの範囲内に収納することができる。
さらにまた、ロープ端接続装置３１は、ロープシャックル３２、支持部材３３及び緩衝部材３４を有しているので、ロープ端接続装置３１をコンパクト化することができる。
また、ロープシャックル３２、支持部材３３及び緩衝部材３４は、天井部２７の上下方向寸法Ｈの範囲内に収納されているので、かご４の上下方向寸法をさらに小さくすることができ、これにより昇降路１の上下方向寸法をさらに小さくすることができる。
さらに、ロープシャックル３２は、楔式ロープ止め部３２ａを有しているので、簡単な構成により、主索１２を上梁２４に対して強固に接続することができる。
実施の形態２．
次に、図３はこの発明の実施の形態２によるエレベータ装置のロープ端接続装置の断面図である。かご接続端部１２ａには、楔式ロープ止め部４１ａ及びばね受けフランジ４１ｂを有する固定部材としてのロープシャックル４１が固定されている。ばね受けフランジ４１ｂと支持部材３３との間には、緩衝部材としてのばね４２が介在されている。
ロープ端接続装置４３は、ロープシャックル４１、支持部材３３及びばね４２を有している。ロープシャックル４１、支持部材３３及びばね４２は、上梁２４の内側に配置されており、天井部２７の上下方向寸法Ｈの範囲内に収納されている。他の構成は、実施の形態１と同様である。
このようなロープ端接続装置４３を用いた場合にも、かご４の上下方向寸法を小さくすることができ、これにより昇降路１の上下方向寸法を小さくすることができる。
実施の形態３．
次に、図４はこの発明の実施の形態３によるエレベータ装置のロープ端接続装置の断面図である。かご接続端部１２ａには、楔式ロープ止め部４４ａを有する固定部材としてのロープシャックル４４が固定されている。ロープシャックル４４の外周部には、ねじ部４４ｂが設けられている。
ねじ部４４ｂには、ロープシャックル４４に対する位置を調整することにより主索１２の張力を調整する調整部材４５が螺着されている。また、ねじ部４４ｂには、ロープシャックル４４に対する調整部材４５の位置をロックするロックナット４６も螺着されている。
ロープ端接続装置４７は、ロープシャックル４４、支持部材３３、ばね４２、調整部材４５及びロックナット４６を有している。ロープシャックル４４、支持部材３３、ばね４２、調整部材４５及びロックナット４６は、上梁２４の内側に配置されており、天井部２７の上下方向寸法Ｈの範囲内に収納されている。他の構成は、実施の形態１と同様である。
このようなロープ端接続装置４７を用いた場合にも、かご４の上下方向寸法を小さくすることができ、これにより昇降路１の上下方向寸法を小さくすることができる。
また、調整部材４５により主索１２個々の張力を調整することができるので、主索１２の張力をより均等にすることができる。
なお、上記の例では、機械室レスエレベータについて説明したが、この発明は、機械室を有するエレベータ装置にも適用できる。
【図１】
2004041702.tif 000003
【図２】
2004041702.tif 000004
【図３】
2004041702.tif 000005
【図４】
2004041702.tif 000006
【国際調査報告】
2004041702.tif 000007
2004041702.tif 000008
2004041702.tif 000009